(57)【要約】      （修正有）【課題】人体ヒップ特に股下面にぴったりフィットして尿漏れを完全に防止することができ、ショーツ本体と吸水シートとを固着一体化して取扱いを簡素化する。【解決手段】前身及び後身２から形成したショーツ本体Ａと、このショーツ本体Ａのクロッチ部４に装着する吸水シートＢとからなる尿失禁用ショーツにおいて、後身２にタック編やフロート編などの伸びにくい組織の略Ｉ字形状ヒップ引上部６を設け、このヒップ引上部６の左右に平編などの伸びやすい組織の対の略円形状ヒップ膨出部７、７を設ける。また、後身２の腰回り編地９を、前身の腰回り編地よりも伸びを抑えた組織とする。【選択図】図２
0003111541.tif 000002
【実用新案登録請求の範囲】
【請求項１】
前身及び後身から形成したショーツ本体と、このショーツ本体のクロッチ部に装着する吸水シートとからなる尿失禁用ショーツにおいて、後身にタック編やフロート編などの伸びにくい組織の略Ｉ字形状ヒップ引上部を設け、このヒップ引上部の左右に、前記ヒップ引上部から連続する伸びにくい組織で囲まれた平編などの伸びやすい組織の対の略円形状ヒップ膨出部を設けて前記吸水シートをずれにくくしたことを特徴とする尿失禁用ショーツ。
【請求項２】
後身の腰回り編地を、前身の腰回り編地よりも伸びを抑えた組織としたことを特徴とする請求項１に記載の尿失禁用ショーツ。
【請求項３】
吸水シートを前端縫合線と後端縫合線とでショーツ本体に固着一体化し、両縫合線間の距離を長くして固着後身頃地から浮かせ所要のたるみを設けたことを特徴とする請求項１または２に記載の尿失禁用ショーツ。
【考案の詳細な説明】
【技術分野】
【０００１】
この考案は、就寝時、外出時などに有用な尿失禁用ショーツに関する。
【背景技術】
【０００２】
従来、この種の尿失禁用ショーツとして、図７、図８及び図９に示すように、伸縮性ニット地の前身５１及び後身５２から形成したショーツ本体と、このショーツ本体のクロッチ部５３に装着した吸水パッド５４とからなるものが普及している。
【０００３】
クロッチ部５３には、防水布５５と吸水布５７が周辺縫合線５６で縫い付けられ、内部には吸水パッド５４が装填されている。
【考案の開示】
【考案が解決しようとする課題】
【０００４】
しかしながら、上記のような尿失禁用ショーツでは、前身５１及び後身５２が全面伸びやすい同一の編目組織のニット地であり、人体股下面にクロッチ部５３がフィットしにくく、歩行中などのときこの吸水パッド５４がずれ動きやすく尿漏れがする欠点があった。
【０００５】
そこで、この考案の課題は、人体ヒップ特に股下面に吸水シートがぴったりフィットして尿漏れを完全に防止することができ、ショーツ本体と吸水シートとを固着一体化して一緒に洗濯することができるなど取扱いを簡素化した尿失禁用ショーツを提供することである。
【課題を解決するための手段】
【０００６】
上記課題を解決するために、この考案は、前身及び後身から形成したショーツ本体と、このショーツ本体のクロッチ部に装着する吸水シートとからなる尿失禁用ショーツにおいて、後身にタック編やフロート編などの伸びにくい組織の略Ｉ字形状ヒップ引上部を設け、このヒップ引上部の左右に、前記ヒップ引上部から連続する伸びにくい組織で囲まれた平編などの伸びやすい組織の対の略円形状ヒップ膨出部を設けて前記吸水シートをずれにくくしたのである。
【０００７】
また、後身の腰回り編地を、前身の腰回り編地よりも伸びを抑えた組織としたのである。
【０００８】
さらに、吸水シートを、前端縫合線と後端縫合線とでショーツ本体に固着一体化し、両縫合線間の距離を長くして固着後身頃地から浮かせ所要のたるみを設けたのである。
【考案の効果】
【０００９】
この考案に係る尿失禁用ショーツでは、上記のように、人体ヒップ背面の凹凸面に対応して、後身中央に伸びにくい編地の略Ｉ字形状ヒップ引上げ部を設け、後身左右に伸びやすい編地の対の略円形状ヒップ膨出部を設けると同時に、後身の腰回り編地を前身の腰回り編地より伸びを抑えたため、着用時人体ヒップ及び股下面にぴったりフィットさせることができ、特にクロッチ部がずれ動くことがなく、吸水シートを定位置に保持することができる。
【００１０】
また、着用時ショーツ本体を引き上げると、クロッチ部が伸長して吸水シートを股下面にぴったりと圧接するようになり吸水シートのずれ動きをよりよく防止できる。
【００１１】
さらに、ショーツ本体と吸水シートの両端が固着一体化されており、一緒に洗濯可能で長期間にわたって衛生的に使用することができて便利で経済的である。
【考案を実施するための最良の形態】
【００１２】
以下、この考案の実施形態を図１乃至図６に基づいて説明する。
【００１３】
この尿失禁用ショーツは、図１、図２及び図３に示すように、綿を主体にナイロン、ポリウレタンなどの化学繊維を所要比率に混ぜた編糸の伸縮性ニット地からなる前身１及び後身２を、対の脇縫合線３、３で連結縫合したショーツ本体Ａと、このショーツ本体Ａのクロッチ部４に装着した略方形状吸水シートＢとから形成され、ショーツ本体Ａの上縁にはレース編地のウエスト・バンド５が縫い付けられている。
【００１４】
後身２には、中央部にタック編やフロート編などの比較的厚手で伸びにくい組織の略Ｉ字形状ヒップ引上部６が設けられ、このヒップ引上部６の左右に、前記ヒップ引上部６から連続する伸びにくい組織で囲まれた平編などの比較的薄手で伸びやすい組織の対の略円形状ヒップ膨出部７、７が設けられている。
【００１５】
ヒップ引上部６を形成する伸びにくい編地は、吸水シートＢに対応するクロッチ部４全面から、前身１の下端部に達し、その先端は吸水シート縫合を容易にする山形状中央厚手部８となっており、人体ヒップへの密着効果を確実なものにしている。
【００１６】
さらに、後身２の上半部、即ち、ヒップ引上部６及びヒップ膨出部７、７と、ウエスト・バンド５との間の腰回り編地９は、前身１の腰回り編地１０よりも伸縮性を抑えたタック編やフロート編などの編目組織に編成されている。なお、前身１の腰回り編地１０は、平編みなどの比較的薄手の伸びやすい組織に編成されている。
【００１７】
この考案に係る尿失禁用ショーツは、上記のように、人体の凹凸に対応して伸縮性が変えてあるため腰下部へのフィット性能を高め、ずれ動きを防止することができる。なお、後身２のヒップ引上部６や腰回り編地９は、タック目の数やフロート目（浮かし目）の数を変えることによって、その編地の厚さや伸縮性の度合を所望のものに編成することができる。
【００１８】
ショーツ本体Ａを縫製するニット地の展開状裁ち布Ｃ（図３参照）は、コンピュータ制御の柄出装置付き成型用編機によって、連続して低コストに製造することができ、編成柄の形状、編目組織、供給する編糸の種類などを適宜選択することができる。
【００１９】
吸水シートＢは、図４、図５及び図６に示すように、裁ち布Ｃのクロッチ部４に重ね合せ、彎曲状前端縫合線１１と彎曲状後端縫合線１２とによって縫い付け一体化され、両縫合線間の距離を身頃地より５〜２０ｍｍ程度長くして縫合後中間部が身頃地より浮いて所要のたるみ１３が自然に発生するようにしてある。さらに、吸水シートＢは、身頃地側に防水加工を施した防水布１４が、また肌側に肌触りのよい起毛地１５がそれぞれ用いられ、内部に吸水性能と耐久性を備えたポリエステル綿などからなる不織布１６が用いられ、周辺に縁取り１７が施されている。そして、吸水性不織布１６には、極細繊維が使ってあり、その毛細管現象で水分を吸収し、防縮加工により何回洗濯しても縮むことはない。このように、吸収シートＢは、起毛地１５があるため肌触りがよく、洗濯時に乾きが早く型崩れしないため長期間にわたって使用ができる。
【００２０】
この考案に係る尿失禁用ショーツは、着用時にウエスト・バンド５を持って引き上げると、人体ヒップの凸面に対応する編地が伸びやすい編目組織に形成され、人体ヒップ凹面に対応する編地が伸びにくい編目組織に形成されているため、人体ヒップにぴったりフィットし、歩行中でもずれ動くようなことはなく、安心して外出することができる。
【００２１】
さらに、吸水シートＢには、たるみ１３があるため着用時身頃地が緊張していても、長さに余裕のある吸水シートＢが人体股下面にぴったりと当接するようになり、尿漏れするようなことはない。
【００２２】
なお、この考案に係る尿失禁用ショーツは、ショーツ本体Ａ及び吸水シートＢの繊維素材としては、上述のような、綿、ナイロン、ポリウレタン、ポリエステル綿などに限定されるものではなく、他の素材を適宜選択することができ、また、パイルニット地で形成したり、胴部にヒップギャザーを設けて腰回りへの止着性を高めることもでき、抗菌防臭加工などを施すこともできる。
【００２３】
さらに、上述の尿失禁用ショーツは、ＬＬ、Ｌ、Ｍ、Ｓなど各種サイズのものを作成したり、ブリーフ・タイプのもののほか、短い脚部を有するトランクス・タイプのもの、ボクサー・タイプのもの、その他各種のパンツ・タイプのものなどに適用することもできる。
【図面の簡単な説明】
【００２４】
【図１】この考案の実施形態に係る尿失禁用ショーツを示す正面図
【図２】同上の背面図
【図３】同上の裁ち布を示す展開平面図
【図４】同上の縦断側面図
【図５】同上のクロッチ部を示す平面図
【図６】図５のイ−イ線に沿った拡大断面図
【図７】従来の尿失禁用ショーツの一例を示す正面図
【図８】同上の縦断側面図
【図９】同上のクロッチ部を示す平面図
【符号の説明】
【００２５】
１    前身
２    後身
３    脇縫合線
４    クロッチ部
５    ウエスト・バンド
６    ヒップ引上部
７    ヒップ膨出部
８    中央厚手部
９    後身腰回り編地
１０  前身腰回り編地
１１  前端縫合線
１２  後端縫合線
１３  たるみ
１４  防水布
１５  起毛地
１６  不織布
１７  縁取り
Ａ    ショーツ本体
Ｂ    吸水シート
Ｃ    裁ち布
【図１】
0003111541.tif 000003
【図２】
0003111541.tif 000004
【図３】
0003111541.tif 000005
【図４】
0003111541.tif 000006
【図５】
0003111541.tif 000007
【図６】
0003111541.tif 000008
【図７】
0003111541.tif 000009
【図８】
0003111541.tif 000010
【図９】
0003111541.tif 000011